(57)【特許請求の範囲】
【請求項１】
回路遮断器本体を収納するケースと、このケースを覆うカバーと、回路遮断器本体と連動し回動させることにより回路遮断器を開閉駆動させるハンドルと、このハンドルに固定されるとともにカバーの開口部を通してケース外部に突出し、ハンドルが回動する面と平行な側の両側面に肉ぬすみ穴を備えた摘まみ部とにより構成された回路遮断器の前記ハンドルを回路遮断器の開路状態および閉路状態にロックするための装置であって、
可撓性を有する材質よりなりＵ字状に形成された第一部品と、可撓性を有する材質よりなりＵ字状に形成された第二部品と、かんぬきを備えた南京錠とが設けられ、前記第一部品の両腕部内に前記摘まみ部が嵌挿可能に形成され、第一部品の両腕部のそれぞれに凸部と突起部が設けられ、凸部は両腕部の内側に互いに向き合うようにして突設されるとともに前記摘まみ部の肉ぬすみ穴に嵌合可能に形成され、突起部は両腕部の付け根側に腕部の幅方向に突設されるとともに凸部を肉ぬすみ穴に嵌合させたときに前記開口部に嵌まり込み開口部の縁部に当接するように形成されており、
前記第二部品の両腕部内に第一部品が嵌挿可能に形成され、第二部品の一方の腕部にスリットが設けられ、このスリットは腕部の付け根から端部まで形成されるとともに第一部品の一方の腕部に設けられたガイドに嵌合可能であり、第一部品の他方の腕部および第二部品の他方の腕部にはそれぞれ錠穴が貫通し、この錠穴は前記南京錠のかんぬきが貫通可能であることを特徴とする回路遮断器のハンドルロック装置。
【請求項２】
請求項１に記載のものにおいて、スリットの開口幅を狭くするスロート部が腕部の端部側に設けられ、このスロート部に嵌合可能な凹み穴がガイドに設けられてなることを特徴とする回路遮断器のハンドルロック装置。
【発明の詳細な説明】
【０００１】
【発明の属する技術分野】
この発明は、配線用遮断器や漏電遮断器などの回路遮断器の操作用のハンドルを開路状態および閉路状態にロックするための装置に関する。
【０００２】
【従来の技術】
回路遮断器には、不用意に開路操作されたり閉路操作されたりすることを避けるために、操作用のハンドルをロックするための専用の部品がある。
図１１は、従来の回路遮断器のハンドルロック装置の構成を示す斜視図である。ハンドルロック装置１は、枠部２に突起部３が突設されたものからなり、枠部２の枠穴２Ａの側壁には錠穴２Ｂが貫通している。また、突起部３には、鉤溝３Ａが形成されている。後述される様に、枠穴２Ａにはハンドルの摘まみ部を貫通させ、錠穴２Ｂには南京錠のかんぬきを貫通させるためのものである。また、鉤溝３Ａは、ハンドルをロックさせたときの表示用として表示札の紐などを括るためのものである。
【０００３】
図１２は、図１１のハンドルロック装置を用いて回路遮断器を閉路状態にロックしたときの断面図である。ケース５の上部がカバー４で覆われ、このケース５の内部に図示されていない回路遮断器の本体が収納されている。回路遮断器は、レバー８をその一方端８Ａを支点にして回動させることにより、主回路を開閉させる。ハンドル６は、レバー８の反支点側の端部に固定されるとともに、摘まみ部９を備えでいる。摘まみ部９は、カバー４の開口部４Ａを貫通してケース５の外部に突出している。この摘まみ部９を手動で左または右に倒すことによって主回路を手動で開閉させることができる。また、摘まみ部９には、紙面に垂直方向にくり抜かれた肉ぬすみ部９Ａが形成されている。この肉ぬすみ部９Ａは、ハンドル６を樹脂成形するときに摘まみ部９が変形しないようにするためのものであるとともに、必要な樹脂量を減らためのものでもある。この摘まみ部９がハンドルロック装置の枠部２の枠穴に通されると同時に突起部３が開口部４Ａ内に嵌め込まれる。摘まみ部９が枠部２によって抑えられているので、この状態でもハンドル６がロックされている。しかし、部外者が不用意にハンドルロック装置をつかみ上げてしまうと、摘まみ部９がフリーになり回路遮断器が開路されるという危険性が残る。そのために、摘まみ部９には、図示されていない錠穴を予め貫通させておき、この錠穴とハンドルロック装置の錠穴２Ｂ（図１１）とに南京錠１０（点線）のかんぬき１０Ａを通し、南京錠１０を施錠しておけば安全である。
【０００４】
図１３は、図１１のハンドルロック装置を用いて回路遮断器を開路状態にロックしたときの断面図である。この場合は、摘まみ部９が右側に傾斜しているが、図１１のハンドルロック装置を裏返しにして使用する。図１２の場合と同様にして、摘まみ部９をハンドルロック装置の枠部２の枠穴に通すと同時に突起部３を開口部４Ａ内に嵌め込む。これによって、摘まみ部９が枠部２によって抑えられているので、ハンドル６がロックされる。なお、摘まみ部９と枠部２とを図のように南京錠１０で施錠することもできる。
【０００５】
【発明が解決しようとする課題】
しかしながら、前述したような従来のハンドルロック装置は、南京錠で施錠する場合、予め摘まみ部に錠穴を明けておかねばならないと言う問題があった。
摘まみ部の錠穴は、製品出荷時に予め穴加工しておくか、または、一度出荷されたものは製造工場へ一旦戻し、穴加工した後、再び出荷時しなければならなかった。組み立てられた状態では、穴加工することができないので、回路遮断器のユーザが、急に仕様変更するときに非常に不便していた。
【０００６】
この発明の目的は、摘まみ部の錠穴がなくても、ハンドルロックが可能になるようにすることにある。
【０００７】
【課題を解決するための手段】
上記目的を達成するために、この発明によれば、回路遮断器本体を収納するケースと、このケースを覆うカバーと、回路遮断器本体と連動し回動させることにより回路遮断器を開閉駆動させるハンドルと、このハンドルに固定されるとともにカバーの開口部を通してケース外部に突出し、ハンドルが回動する面と平行な側の両側面に肉ぬすみ穴を備えた摘まみ部とにより構成された回路遮断器の前記ハンドルを回路遮断器の開路状態および閉路状態にロックするための装置であって、
可撓性を有する材質よりなりＵ字状に形成された第一部品と、可撓性を有する材質よりなりＵ字状に形成された第二部品と、かんぬきを備えた南京錠とが設けられ、前記第一部品の両腕部内に前記摘まみ部が嵌挿可能に形成され、第一部品の両腕部のそれぞれに凸部と突起部が設けられ、凸部は両腕部の内側に互いに向き合うようにして突設されるとともに前記摘まみ部の肉ぬすみ穴に嵌合可能に形成され、突起部は両腕部の付け根側に腕部の幅方向に突設されるとともに凸部を肉ぬすみ穴に嵌合させたときに前記開口部に嵌まり込み開口部の縁部に当接するように形成されており、
前記第二部品の両腕部内に第一部品が嵌挿可能に形成され、第二部品の一方の腕部にスリットが設けられ、このスリットは腕部の付け根から端部まで形成されるとともに第一部品の一方の腕部に設けられたガイドに嵌合可能であり、第一部品の他方の腕部および第二部品の他方の腕部にはそれぞれ錠穴が貫通し、この錠穴は前記南京錠のかんぬきが貫通可能であるものとするとよい。ハンドルを第一部品でロックするときは第一部品の両腕部を一旦拡げて摘まみ部を挟み付け、凸部を肉ぬすみ穴に嵌合させるとともに突起部をカバーの開口部に嵌め込み開口部の縁部に当接させる。ハンドルのロック状態において摘まみ部を倒そうとすると、肉ぬすみ穴に嵌合している凸部を介して第一部品に力がかかるが、カバー開口部の縁部と当接している突起部がその縁部のところで突っ張るので摘まみ部は決して動かない。
また、ハンドルを第一部品及び第二部品でロックするときは、第二部品の両腕部で第一部品を挟み込み、第二部品のスリットを第一部品のガイドに嵌合させるとともにガイドに沿ってスライドさせ、第二部品の内部に第一部品を嵌挿させた後、南京錠のかんぬきを第一部品と第二部品の双方の錠穴に貫通させる。それによって、ハンドルロック装置が施錠される。
【０００９】
また、かかる構成において、スリットの開口幅を狭くするスロート部が腕部の端部側に設けられ、このスロート部に嵌合可能な凹み穴がガイドに設けられてなるものとしてもよい。ハンドルロックされていないときには、スロート部が凹み部に嵌合した状態になるので、第一部品と第二部品とが常時つながり離れることがない。
【００１０】
【発明の実施の形態】
この発明は、可撓性を有する材質よりなりＵ字状に形成された第一部品と、可撓性を有する材質よりなりＵ字状に形成された第二部品と、かんぬきを備えた南京錠とが設けられ、前記第一部品の両腕部内に前記摘まみ部が嵌挿可能に形成され、第一部品の両腕部のそれぞれに凸部と突起部が設けられ、凸部は両腕部の内側に互いに向き合うようにして突設されるとともに前記摘まみ部の肉ぬすみ穴に嵌合可能に形成され、突起部は両腕部の付け根側に腕部の幅方向に突設されるとともに凸部を肉ぬすみ穴に嵌合させたときに前記開口部に嵌まり込み開口部の縁部に当接するように形成されており、前記第二部品の両腕部内に第一部品が嵌挿可能に形成され、第二部品の一方の腕部にスリットが設けられ、このスリットは腕部の付け根から端部まで形成されるとともに第一部品の一方の腕部に設けられたガイドに嵌合可能であり、第一部品の他方の腕部および第二部品の他方の腕部にはそれぞれ錠穴が貫通し、この錠穴は前記南京錠のかんぬきが貫通可能であるものである。以下、この発明を実施例に基づいて説明する。
【００１１】
図１は、この発明の実施例にかかる回路遮断器のハンドルロックの第一部品の構成を示す図であり、（Ａ）は側面図、（Ｂ）は図１（Ａ）のＡ矢視図、（Ｃ）は図１（Ａ）のＢ−Ｂ断面図である。図１（Ａ）において、第一部品２０がＵ字状に形成され、腕部２０Ａ，２０Ｂを備えている。腕部２０Ａの外側（左面）には上下方向に長く設けられたガイド２１が突設されるとともに、このガイド２１の上部に紙面に垂直な凹み穴２２が形成されている。また、腕部２０Ａの下部の両側には、図１の（Ｃ）に見られるような鉤溝２３が形成されている。さらに、腕部２０Ａ，２０Ｂの下部にはＬ字状の嵌合部２６が設けられるとともに、腕部２０Ａ，２０Ｂの双方の内面には、図１の（Ｃ）に見られるような凸部２５と段差２４とがそれぞれ設けられている。図１（Ａ）の右側の嵌合部２６と腕部２０Ｂとの双方を貫通する錠穴２７が、図１の（Ｂ）に見られるように設けられている。
【００１２】
図１の第一部品２０は、ナイロンやＡＢＳ樹脂など可撓性を有する材質から形成され、腕部２０Ａ，２０Ｂの開口側（上部側）を拡げることができる。鉤溝２３は、図１１の従来の装置で備えられていた鉤溝３Ａと同じ役目のものである。また、錠穴２７は、南京錠のかんぬきを通すためのものである。嵌合部２６の役目は後述されるが、第二部品を嵌挿させたときにその腕部の端部を収めるものである。凸部２５と段差２４との役目も後述されるが、摘まみ部に嵌合する役目を担う。
【００１３】
図２は、図１のハンドルロック装置の第一部品を用いて回路遮断器を閉路状態にロックするときの分解斜視図である。回路遮断器のケース５およびカバー４は、図１２の従来の装置で述べたものと同じ構成であり、図１２と同じ部分には同一参照符号を付け、詳細な説明をここで繰り返すことは省略する。摘まみ部９は上方に向けられ閉路状態になっている。第一部品２０の腕部２０Ａ，２０Ｂの端部を上に向けるとともにその端部の間隙を僅かに開き、点線の矢印２８の経路を辿って摘まみ部９の肉ぬすみ穴９Ａに凸部２５を嵌合させる。段差２４は、摘まみ部９に外形に沿うように嵌め込まれる。
【００１４】
図３は、図２の構成において回路遮断器が閉路状態にロックされた状態を示す斜視図である。摘まみ部９に凸部を嵌合させるとともに、腕部２０Ａ，２０Ｂの突起部３０を開口部４Ａに嵌め込み、開口部４Ａの縁部に当接させる。この状態で摘まみ部９を下方に倒そうとしても、摘まみ部９が第一部品２０を介して開口部４Ａの下部の縁部で抑えられるので、摘まみ部９は決して動かない。
【００１５】
図４は、図１のハンドルロック装置の第一部品を用いて回路遮断器を開路状態にロックするときの分解斜視図である。摘まみ部９は下方に向けられ開路状態になっている。第一部品２０の腕部２０Ａ，２０Ｂの端部を下に向けるとともにその端部の間隙を僅かに開き、点線の矢印２９の経路を辿って摘まみ部９の肉ぬすみ穴９Ａに凸部２５を嵌合させる。その他は、図２の構成と同じである。
【００１６】
図５は、図４の構成において回路遮断器が開路状態にロックされた状態を示す斜視図である。摘まみ部９に凸部を嵌合させるとともに、腕部２０Ａ，２０Ｂの突起部３０を開口部４Ａに嵌め込み、開口部４Ａの縁部に当接させる。この状態で摘まみ部９を上方に持ち上げようとしても、摘まみ部９が第一部品２０を介して開口部４Ａの上部の縁部で抑えられるので、摘まみ部９は決して動かない。
【００１７】
図１（Ｃ）に戻り、凸部２５が複数あるのは、開路状態や閉路状態でハンドルの摘まみ部がいずれの方向に向いても、その肉ぬすみ部に凸部２５が丁度嵌合するようにしたためである。また、下部の段差２４がヘの字になっているのも同様な理由による。
図６は、この発明の実施例にかかる回路遮断器のハンドルロックの第二部品の構成を示す図であり、（Ａ）は側面図、（Ｂ）は図６（Ａ）のＣ矢視図、（Ｃ）は図６（Ａ）のＤ矢視図、（Ｄ）は図６（Ａ）のＥ矢視図である。図６（Ａ）において、第二部品３１がＵ字状に形成され、腕部３１Ａ，３１Ｂを備えている。腕部３１Ａには、錠穴３２が図６の（Ｂ）に見られるように設けられている。腕部３１Ａ，３１Ｂの外側両面（左右面）に複数の突起３３が設けられている。腕部３１Ｂには、図６の（Ｃ），（Ｄ）に見られるようにスリット３４が形成されている。スリット３４の端部には、図６の（Ｃ）に見られるようにスリット３４の開口幅を狭くするスロート部３５が設けられている。
【００１８】
図６の第二部品３１も、第一部品と同様に可撓性を有する材質から形成されている。錠穴３２は、南京錠のかんぬきを通すためのものである。また、突起３３は、第二部品３１を手でつかんだときの滑り止めである。スリット３４は、図１の第一部品２０の腕部２０Ａに設けられたガイド２１と嵌合可能であり、第二部品３１をスリット３４の長さ方向（上下方向）にガイドする役目を担う。また、スロート部３５は、図１の第一部品２０のガイド２１に設けられた凹み穴２２に嵌合可能である。可撓性があるのでスリット３４が開き、スロート部３５は凹み穴２２と着脱可能である。
【００１９】
図７は、図１の第一部品および図６の第二部品を用いて回路遮断器を閉路状態にロックするときの分解斜視図である。回路遮断器のケース５およびカバー４は、図２で述べたものと同じ構成である。摘まみ部９は上方に向けられ閉路状態になっている。第一部品２０の腕部２０Ａ，２０Ｂの端部を上に向けるとともに第二部品３１のスリット３４を第一部品２０のガイド２１に嵌合させておく。スリット３４には図６で述べたスロート部３５が、ガイド２１には図１で述べた凹み部２２が設けられているので、そのスロート部３５が凹み部２２に嵌まっている。そのために、第二部品３１が第一部品２０から離れることはなく、第二部品３１が紛失することがないと言う効果がある。第一部品２０の両腕部２０Ａ，２０Ａの端部の間隙を僅かに開き、点線の矢印２８の経路を辿って摘まみ部９の肉ぬすみ穴９Ａに凸部２５を嵌合させる。
【００２０】
図８（Ａ）は、図７の構成において回路遮断器が閉路状態にロックされる途中の状態を示す斜視図であり、（Ｂ）は、図８（Ａ）の状態に続いて回路遮断器が閉路状態にロックされた状態を示す斜視図である。図８（Ａ）において、摘まみ部９に第一部品２０の凸部を嵌合させるとともに、第一部品２０の突起部３０を開口部４Ａに嵌め込み開口部４Ａの縁部に当接させる。第二部品３１を第一部品２０の上部に被せ、スリット３４をガイド２１に沿わせながら第二部品３１を押し下げる。前述のように、第二部品３１に可撓性があるのでスリット３４が開き、スロート部が凹み穴から抜ける。図８（Ｂ）のように第二部品３１を下げると、第二部品３１の両腕が嵌合部２６に嵌まるとともにその錠穴３２が第一部品２０の錠穴２７と合うようになっている。南京錠１０のかんぬき１０Ａを双方の錠穴に通し、施錠することによってハンドルがロックされる。
【００２１】
図３の状態でもハンドルがロックされるが、不用意に第一部品２０を取り除けば、ハンドルロックが外れてしまう。図８（Ｂ）のように南京錠１０を掛けて施錠しておけば、第一部品２０を手前に抜こうとしても摘まみ部９が内部の凸部に係止されるので第一部品２０と第二部品３１とはともに外されることはない。
図９は、図１の第一部品および図６の第二部品を用いて回路遮断器を開路状態にロックするときの分解斜視図である。回路遮断器のケース５およびカバー４は、図４で述べたものと同じ構成である。摘まみ部９は下方に向けられ開路状態になっている。第一部品２０の腕部２０Ａ，２０Ｂの端部を下に向けるとともに第二部品３１のスリット３４を第一部品２０のガイド（図では見えない）に嵌合させておく。第一部品２０の両腕部の端部の間隙を僅かに開き、点線の矢印２９の経路を辿って摘まみ部９の肉ぬすみ穴９Ａに凸部２５を嵌合させる。
【００２２】
図１０（Ａ）は、図９の構成において回路遮断器が開路状態にロックされる途中の状態を示す斜視図であり、（Ｂ）は、図１０（Ａ）の状態に続いて回路遮断器が開路状態にロックされた状態を示す斜視図である。図１０（Ａ）において、摘まみ部９に第一部品２０の凸部を嵌合させるとともに、第一部品２０の突起部３０を開口部４Ａに嵌め込み開口部４Ａの縁部に当接させる。第二部品３１を第一部品２０の下部に被せ、スリット３４をガイドに沿わせながら第二部品３１を押し上げる。図１０（Ｂ）のように第二部品３１を上げると、第二部品３１の両腕が嵌合部２６に嵌まるとともに錠穴３２が第一部品２０の錠穴２７と合うようになっている。南京錠１０のかんぬき１０Ａを双方の錠穴に通し、施錠することによってハンドルがロックされる。
【００２３】
図５の状態でもハンドルがロックされるが、不用意に第一部品２０を手前に抜けば、ハンドルロックが外れてしまう。図１０（Ｂ）のように南京錠１０を掛けておけば、第一部品２０を手前に抜こうとしても摘まみ部９が内部の凸部に係止されるので第一部品２０と第二部品３１とはともに外れることはない。
【００２４】
【発明の効果】
この発明は前述のように、可撓性を有する材質よりなりＵ字状に形成された第一部品と、可撓性を有する材質よりなりＵ字状に形成された第二部品と、かんぬきを備えた南京錠とが設けられ、前記第一部品の両腕部内に前記摘まみ部が嵌挿可能に形成され、第一部品の両腕部のそれぞれに凸部と突起部が設けられ、凸部は両腕部の内側に互いに向き合うようにして突設されるとともに前記摘まみ部の肉ぬすみ穴に嵌合可能に形成され、突起部は両腕部の付け根側に腕部の幅方向に突設されるとともに凸部を肉ぬすみ穴に嵌合させたときに前記開口部に嵌まり込み開口部の縁部に当接するように形成されており、前記第二部品の両腕部内に第一部品が嵌挿可能に形成され、第二部品の一方の腕部にスリットが設けられ、このスリットは腕部の付け根から端部まで形成されるとともに第一部品の一方の腕部に設けられたガイドに嵌合可能であり、第一部品の他方の腕部および第二部品の他方の腕部にはそれぞれ錠穴が貫通し、この錠穴は前記南京錠のかんぬきが貫通可能である。
これによって、第一部品を回路遮断器の摘まみ部に挟み込むだけで簡単にハンドルをロックすることができるとともに、回路遮断器の摘まみ部に予め錠穴がなくてもハンドルをロックすることができる。摘まみ部に錠穴のない回路遮断器を使っていたユーザが、急に仕様変更するときにそのままですぐに対応することができるので、非常に便利である。
【００２６】
また、かかる構成において、スリットの開口幅を狭くするスロート部が腕部の端部側に設けられ、このスロート部に嵌合可能な凹み穴がガイドに設けられる。それによって、第二部品が第一部品から離れることはなくなり、第二部品が紛失することがない。
【図面の簡単な説明】
【図１】この発明の実施例にかかる回路遮断器のハンドルロックの第一部品の構成を示す図であり、（Ａ）は側面図、（Ｂ）は図１（Ａ）のＡ矢視図、（Ｃ）は図１（Ａ）のＢ−Ｂ断面図
【図２】図１のハンドルロック装置の第一部品を用いて回路遮断器を閉路状態にロックするときの分解斜視図
【図３】図２の構成において回路遮断器が閉路状態にロックされた構成を示す斜視図
【図４】図１のハンドルロック装置の第一部品を用いて回路遮断器を開路状態にロックするときの分解斜視図
【図５】図４の構成において回路遮断器が開路状態にロックされた状態を示す斜視図
【図６】この発明の実施例にかかる回路遮断器のハンドルロックの第二部品の構成を示す図であり、（Ａ）は側面図、（Ｂ）は図６（Ａ）のＣ矢視図、（Ｃ）は図６（Ａ）のＤ矢視図、（Ｄ）は図６（Ａ）のＥ矢視図
【図７】図１の第一部品および図６の第二部品を用いて回路遮断器を閉路状態にロックするときの分解斜視図
【図８】図８（Ａ）は、図７の構成において回路遮断器が閉路状態にロックされる途中の状態を示す斜視図、（Ｂ）は、図８（Ａ）の状態に続いて回路遮断器が閉路状態にロックされた状態を示す斜視図
【図９】図１の第一部品および図６の第二部品を用いて回路遮断器を開路状態にロックするときの分解斜視図
【図１０】図１０（Ａ）は、図９の構成において回路遮断器が開路状態にロックされる途中の状態を示す斜視図、（Ｂ）は、図１０（Ａ）の状態に続いて回路遮断器が開路状態にロックされた状態を示す斜視図
【図１１】従来のハンドルロック装置の構成を示す斜視図
【図１２】図１１のハンドルロック装置を用いて回路遮断器を閉路状態にロックしたときの断面図
【図１３】図１１のハンドルロック装置を用いて回路遮断器を開路状態にロックしたときの断面図
【符号の説明】
４：カバー、４Ａ：開口部、５：ケース、９：摘まみ部、９Ａ：肉ぬすみ部、２０：第一部品、３１：第二部品、２０Ａ，２０Ｂ，３１Ａ，３１Ｂ：腕部、２１：ガイド、２２：凹み穴、２５：凸部、３０：突起部、２７，３２：錠穴、３４：スリット、３５：スロート部
【図１】
0003760504.tif 000002
【図２】
0003760504.tif 000003
【図３】
0003760504.tif 000004
【図４】
0003760504.tif 000005
【図５】
0003760504.tif 000006
【図６】
0003760504.tif 000007
【図７】
0003760504.tif 000008
【図８】
0003760504.tif 000009
【図９】
0003760504.tif 000010
【図１０】
0003760504.tif 000011
【図１１】
0003760504.tif 000012
【図１２】
0003760504.tif 000013
【図１３】
0003760504.tif 000014